(57)【要約】【課題】被検者の眼科検査だけでなく、検者の眼科検査も容易かつ操作性よく検査することが可能な眼科装置を提供する。【解決手段】本発明の光走査型検眼鏡（眼科装置）１００を、照明光源により照明された被検眼Ｅからの光を受光するレーザ走査光学系２００および制御回路部３０を有する装置本体１と、レーザ走査光学系２００を操作する操作部ボタン７を有する支持体２と、を備えて構成する。また、レーザ走査光学系２００を、光軸に直交する軸を回転軸Ｘとして相対的に回転させることにより、支持体２に対するレーザ走査光学系２００の位置を変化させる。【選択図】図１
2014108136.tif 000002
【特許請求の範囲】
【請求項１】
照明光源により照明された被検眼からの光を受光する光学系を少なくとも有する装置本体と、前記装置本体を支持する支持体と、を備えた眼科装置であって、
前記支持体に対して、前記光学系を、該光学系の光軸に直交する軸を回転軸として相対的に回転させることにより、前記支持体に対する前記光学系の位置を変化させることを特徴とする眼科装置。
【請求項２】
前記光学系は被検者の前記被検眼に対向して配置する接眼部を有し、
前記被検者の被検眼に対向する方向に前記接眼部が配置された前記光学系を、前記回転軸を中心に相対的に回転させることにより、前記光学系の前記接眼部を、検者の被検眼に対向して配置するよう構成されている請求項１に記載の眼科装置。
【請求項３】
前記装置本体と前記支持体とは、前記装置本体に設けた装着部と、前記支持体の被装着部とを装着することで互いに連結されるよう構成され、
前記装置本体の前記装着部から前記支持体の前記被装着部を脱着することで、前記装置本体と前記支持体とを分離し、前記装置本体または前記支持体を、前記回転軸を中心に相対的に回転し、前記装着部に前記被装着部を装着することにより、前記支持体に対する前記光学系の位置を変化させる請求項１または２に記載の眼科装置。
【請求項４】
前記装置本体と前記支持体とは、前記回転軸と同軸上に配置した支軸からなる軸支部によって互いに軸支されており、
前記支軸を回転軸として、前記支持体に対して前記装置本体を相対的に回転させることにより、前記支持体に対する前記光学系の相対的な位置を変化させる請求項１または２に記載の眼科装置。
【請求項５】
前記光学系は、前記回転軸と同軸上に配置した支軸からなる軸支部によって前記装置本体に軸支されており、
前記支軸を回転軸として、前記光学系を前記装置本体に対して相対的に回転させることにより、前記支持体に対する前記光学系の位置を変化させる請求項１または２に記載の眼科装置。
【請求項６】
前記支持体は、検者が把持する把持部を有している請求項１〜４のいずれか一項に記載の眼科装置。
【請求項７】
前記支持体は、前記検者が前記把持部を把持したときに、該把持部から前記検者の方向に突出し、前記検者の腕の上面に配置される支持部を、さらに有する請求項６に記載の眼科装置。
【請求項８】
前記支持体は、前記装置本体を設置面に据置く据え置き台を有している請求項１〜５のいずれか一項に記載の眼科装置。
【発明の詳細な説明】
【技術分野】
【０００１】
本発明は、眼底検査などの眼科検査に使用される眼科装置の改良に関する。
【背景技術】
【０００２】
従来から、眼底検査や視力検査等に用いる眼科装置として、眼科医院や眼鏡店などに設置され、専門知識を有する医師等が使用する大型の眼科装置が存在する。また、近年では、持ち運びや操作が容易で、病院等以外の場所での集団検診等で手軽に眼科検査ができるような、軽量でコンパクトな眼科装置が開発されている（たとえば、特許文献１、２参照）。
【０００３】
特許文献１では、手持ち型と据え置き型とを兼用した眼科装置が開示されている。手持ち型の眼科装置とは、医師等の検査を行う者（以下、「検者」と呼ぶ。）が手で把持して使用する小型の眼科装置である。検者は、眼科装置に設けられた取手等を把持して、検査を受ける者（以下「被検者」と呼ぶ。）の眼を接眼部に近接させ、被検眼の観察や撮影を行う。また、据え置き型の眼科装置とは、机や作業台の設置面上に設置して使用するも眼科装置である。手持ち型では、使用場所を選ばず、手軽で自由度の高い検査が可能である。これに対して、据え置き型では、被検者のひたいや顎等をアライメントに載せることで、装置に対して頭部を固定して使用するため、被検者の被検眼をより確実に検査することができる。
【０００４】
また、特許文献２では、装置本体に対して、光軸を回転軸として取手を回転可能とした手持ち型の眼科装置が開示されている。このような構成により、カメラ本体に対して取手の角度を自由に設定することができ、検者と被検者とが互いに正面で向き合って検査する必要がなくなる。そのため、ベッドに寝ている被検者を、ベッドの何れの方向からでも検査することができるなど、検査の自由度を高めようとするものである。
【先行技術文献】
【特許文献】
【０００５】
【特許文献１】特開平９−２３４１８４号公報
【特許文献２】特開平９−２２４９１０号公報
【発明の概要】
【発明が解決しようとする課題】
【０００６】
しかしながら、特許文献１、２のような従来の眼科装置では、接眼レンズ等を被検者の被検眼に近接させた状態で、検者が操作し易い位置に操作ボタンや操作パネルが配置されている。つまり、被検者以外の者が、被検者の眼科検査を行うことを前提にしているため、被検者が自身で眼科検査を行うことは想定されていない。そのため、手持ち型の眼科装置で被検者が検者となって自身の眼科検査を行うときには、眼科装置を１８０°回転させ、自身の被検眼に接眼レンズ等を近接した状態で、操作ボタン等を操作する必要がある。この場合、操作ボタン等も１８０°反転するため、操作ボタンの位置を手探りして操作するか、手首を不自然に折り曲げるなど不安定な状態で操作することとなり、検査精度に影響することがある。また、据え置き型の眼科装置の場合は、検者が自身の眼科検査を行うときは、被検者の位置にわざわざ移動する必要があって煩わしく、また、操作パネル等が操作しにくい位置に向いてしまうことがある。
【０００７】
本発明は、上記の事情に鑑みて為されたもので、集団検診等などで手軽に使用することができ、検者が被検者の眼科検査を行うだけでなく、被検者が自ら検者となって、または、検者が自身の眼科検査も精度よく行うことが可能な、操作性に優れた眼科装置を提供することを目的とする。
【課題を解決するための手段】
【０００８】
上記の目的を達成するため、本願に係る眼科装置は、照明光源により照明された被検眼からの光を受光する光学系を少なくとも有する装置本体と、前記装置本体を支持する支持体と、を備えた眼科装置であって、前記支持体に対して、前記光学系を、該光学系の光軸に直交する軸を回転軸として相対的に回転させることにより、前記支持体に対する前記光学系の位置を変化させることを特徴とする。
【発明の効果】
【０００９】
本発明によれば、眼科検査に用いる光学系を回転させることにより、支持体に対して光学系の位置を変化させることができる。そのため、光学系を被検者の被検眼に対向する位置に配置するだけでなく、光学系を検者自身の被検眼に対向する位置に配置することもできる。したがって、集団検診等などで手軽に使用することができ、検者が被検者の眼科検査を行うだけでなく、被検者が自ら検者となって、または、検者が自身の眼科検査も精度よく行うことが可能な、操作性に優れた眼科装置を提供することができる。その結果、眼科検査を精度よく行うことが可能となり、眼科装置の光学性能も向上させることができる。また、被検者が眼科装置を備えた病院等に出向く必要がなく、公民館や企業等、医療施設外で行う集団健診等であっても手軽に検査を行うことができる。
【図面の簡単な説明】
【００１０】
【図１】本願の実施例１に係る光走査型検眼鏡の斜視図である。
【図２】実施例１に係る光走査型検眼鏡の光学系の構成と、制御回路部のシステム構成とを説明するための説明図である。
【図３】実施例１に係る光走査型検眼鏡で、検者が被検者の眼底撮影を行っている状態（他者撮影モード）を示す概略図である。
【図４】実施例１に係る手持ち型の光走査型検眼鏡で、検者が自身の眼底撮影を行っている状態（自己撮影モード）を示す概略図である。
【図５】実施例１に係る手持ち型の光走査型検眼鏡において、他者撮影モード時の装置本体と支持体との相対位置関係を示す概略図であって、（ａ）は装置本体側から見た平面図であり、（ｂ）は接眼部から見た正面図であり、（ｃ）は側面図である。
【図６】実施例１に係る手持ち型の光走査型検眼鏡の装置本体から、支持体を脱着した状態を示す概略図である。
【図７】実施例１に係る手持ち型の光走査型検眼鏡において、自己撮影モード時の装置本体と支持体との相対位置関係を示す概略図であって、（ａ）は装置本体側から見た平面図であり、（ｂ）は接眼部から見た正面図であり、（ｃ）は側面図である。
【図８】実施例２に係る手持ち型の光走査型検眼鏡の装置本体を、支持体に対して回転させた際の装置本体と支持体との相対位置関係を示す平面図であって、（ａ）は回転前の初期位置（他者撮影モード）を示し、（ｂ）は初期位置から９０°回転させた状態（第２の他者撮影モード）を示し、（ｃ）は初期位置から１８０°回転させた状態（自己撮影モード）を示す。
【図９】実施例３に係る手持ち型の光走査型検眼鏡において、他者撮影モード時の装置本体と支持体との相対位置関係を示す概略図であって、（ａ）は装置本体側から見た平面図であり、（ｂ）は接眼部から見た正面図であり、（ｃ）は側面図である。
【図１０】実施例３に係る手持ち型の光走査型検眼鏡において、自己撮影モード時の装置本体と支持体との相対位置関係を示す概略図であって、（ａ）は装置本体側から見た平面図であり、（ｂ）は接眼部から見た正面図であり、（ｃ）は側面図である。
【図１１】実施例４に係る据え置き型の光走査型検眼鏡において、他者撮影モード時の装置本体と支持体との相対位置関係を示す概略図であって、（ａ）は装置本体側から見た平面図であり、（ｂ）は接眼部から見た正面図であり、（ｃ）は側面図である。
【図１２】実施例４に係る据え置き型の光走査型検眼鏡において、自己撮影モード時の装置本体と支持体との相対位置関係を示す概略図であって、（ａ）は装置本体側から見た平面図であり、（ｂ）は接眼部から見た正面図であり、（ｃ）は側面図である。
【図１３】実施例５に係る据え置き型の光走査型検眼鏡において、他者撮影モード時の装置本体と支持体との相対位置関係を示す概略図であって、（ａ）は装置本体側から見た平面図であり、（ｂ）は接眼部から見た正面図であり、（ｃ）は側面図である。
【図１４】実施例５に係る据え置き型の光走査型検眼鏡において、自己撮影モード時の装置本体と支持体との相対位置関係を示す概略図であって、（ａ）は装置本体側から見た平面図であり、（ｂ）は接眼部から見た正面図であり、（ｃ）は側面図である。
【発明を実施するための形態】
【００１１】
（実施例１）
（手持ち型の光走査型検眼鏡の外観構成の概要）
以下、本願の実施例１に係る眼科装置について、図１〜図７を参照しながら説明する。図１は、実施例１の眼科装置としての手持ち型（ポータブルタイプともいう）の光走査型検眼鏡１００であり、装置本体１と、この装置本体１を支持する支持体２と、を有して構成している。
【００１２】
以下、本明細書では、光走査型検眼鏡１００を図１のように通常の使用形態（正姿勢）で構えた状態での上下方向に対応して、装置本体１方向を上、支持体２方向を下と定義する。したがって、光走査型検眼鏡１００を傾けた状態や、逆さに配置した状態でも、装置本体１側を上、支持体２側を下というものとする。なお、正姿勢で構えたときに、装置本体が下に、支持体が上に位置するような構成の眼科装置では、支持体側を上、装置本体側を下と定義してもよい。また、前後左右方向については、基本的には、図１に示すように、被検者の眼科検査を行う際に接眼部が位置する方向を前、検者の方向を後、接眼部から見て左側を左、右側を右と定義するが、説明上、前後左右を入れ替えて説明することがある。
【００１３】
装置本体１には、図１、図６等に示すように、被験眼に対面させる、接眼部としての接眼鏡筒部３が設けられている。また、装置本体１の、この接眼鏡筒部３とは反対側に、眼底画像等を表示するモニタ部４と、支持体２を装着する装着部としての装着面５と、が設けられている。
【００１４】
また、装置本体１の内部には、図２に示すように、眼底の観察と撮影を行う観察撮影光学系としてのレーザ走査光学系２００、このレーザ走査光学系２００、その他の動作を制御する制御回路部３０等が備えられている。これらの詳細については後述する。装置本体１には、さらに、図示はしないが、各部に電源電力を供給する電源等、その他眼底観察撮影に必要な駆動機構、電源オン・オフ用の電源ボタン等が設けられている。電源は、バッテリ交換形式の内蔵型のものであってもよいし、充電式のものであってもよい。
【００１５】
支持体２は、光走査型検眼鏡１００を操作する検者Ａが手指や掌で把持する把持部６と、装置本体１に処理の指示を与える操作部としての操作ボタン７と、装置本体１の装着面５に装着する被装着部としての支持部８と、が設けられている。なお、この支持部８と装着面５とは、装置本体１を支持体２に対して相対的に回転させ、支持体２に対するレーザ走査光学系２００の位置を変化させる位置設定部１０としても機能する。
【００１６】
把持部６は、図１に示すように、通常の使用状態で光走査型検眼鏡１００を配置したとき、装置本体１の前方に位置するような構成としている。そして、装置本体１から下方向に四角柱形に突出形成された、簡易な構造となっている。なお、把持部６が実施例１の構造に限定されることはなく、他の異なる実施形態として、例えば、掌で握り易くいように、円柱形に形成してもよく、指を配置し易いように把持部６の表面に指型の凹凸等を設けてもよい。検者Ａが握り易い形状であれば、他の何れの形状の把持部６としてもよい。
【００１７】
実施例１および以降の実施例では、操作部として操作ボタン７を設け、押しボタン形式を採用している。この操作ボタン７を押すことで、アライメント、眼底撮影、合焦等、光学系による眼底撮影時の様々な動作を実行する指示を与え、また、動作を停止する指示を与えるような構成としている。実施例１では、図１〜図７に示すように、操作ボタン７を一つのみ図示し、すべての動作をこの一つの操作ボタン７で行うような構成としている。しかし、本願がこれに限定されることはなく、撮影ボタン、アライメントボタン、合焦ボタン等、処理ごとに複数の操作ボタンを設けてもよい。また、操作部が押しボタンに限定されることはなく、検者Ａが操作し易いものであれば、引き金形式など、他の何れの形式としてもよい。
【００１８】
また、支持体２の操作ボタン７からの装置本体１の制御回路部３０への観察、撮影、アライメント、合焦等の指令の伝達手段としては、従来公知のいずれの手段を用いてもよい。例えば、無線の電気信号等によって伝達するものであってもよいし、図示しないコード等によって電気信号等を伝達するものであってもよい。また、カムやリンクを用いた機械的な伝達手段を用いてもよい。以降の実施例でも同様である。
【００１９】
支持部８は、把持部６の上端から、装置本体１の底面に沿って把持部６に対して直角方向に延びる板状に形成され、把持部６と一体に形成されている。このよう把持部６と支持部８との構成により、図５（ｃ）等に示すように、支持体２の側面形状がＬ字形となっている。なお、支持部８は、板状に限定されることはなく、手の甲や上腕に載せ易いように、これらの形状に対応した曲面等を有する形状としてもよい。
【００２０】
支持部８には、マグネット部材（図示せず）が設けられている。このマグネット部材の吸着力により、支持部８が装置本体１の装着面５に装着される。これにより、装置本体１と支持体２とが連結される。装置本体１の装着面５は、装置本体１の下面に、マグネット部材に吸着される磁性部材を設けることにより形成している。この磁性部材は、装置本体１の下面全体または、少なくとも支持体２を装着する部位に設けられている。または、装置本体１の筐体を、磁性を有する金属等の磁性部材で形成し、上下左右の何れの面にも支持部８を装着できるようにしてもよい。
【００２１】
検者Ａが、被検者Ｂの眼科検査を行う際には、図５（ａ）、（ｂ）に示すように、接眼鏡筒部３が把持部６側に位置するような方向で、支持体２を装置本体１に装着する。また、検者Ａが自身の眼科検査を行う際には、図７（ａ）、（ｂ）に示すように、接眼鏡筒部３とは反対側のモニタ部４側に把持部６が位置するような方向で、支持体２と装置本体１とを装着する。このように、装着面５に対する支持部８の装着方向を変えることで、検者Ａに対する接眼鏡筒部３の位置を、０°から１８０°に変化させる位置設定部１０としての機能を発揮することができる。なお、実施例１では、支持部８の左右方向の装着位置は、いずれの場合でも装置本体１の中心よりも右寄りになっているが、検者Ａにとって操作が容易であれば、装置本体１の左右何れの位置に支持部８を装着してもよい。
【００２２】
また、支持部８は、装置本体１と支持体２との連結手段および位置設定部としての機能だけでなく、光走査型検眼鏡１００の支持手段としての機能をも有している。すなわち、検者Ａが光走査型検眼鏡１００を構え、把持部６を把持したときに、検者Ａの手の甲や腕の上面に支持部８が配置されることで、装置本体１の自重を腕で支えることができる。このように、装置本体１を腕で支持することで、手持ち時の安定性が向上し、手ブレ等を抑制して、光走査型検眼鏡１００による眼底の観察や撮影等を、より高精度に行うことができる。
【００２３】
なお、本願の装着部と被装着部としての装着面５と支持部８とが上記に限定されることはなく、マグネット部材を装着面５に設け、磁性部材を支持部８に設けてもよい。また、支持部８および装着面５に、それぞれ正、負のマグネット部材を設けてもよく、より強固な吸着力を得ることができる。また、装着部と被装着部とが、装着面５と支持部８とに限定されることもなく、装置本体１に、支持部８の形状に対応した凹凸やレール部材を設けて装着部を形成し、この凹凸またはレールからなる装着部に支持部８を嵌合して、装着するように構成してもよい。この場合でも、装着部に対して、支持部８の装着方向を変えて装着することで、位置設定部１０としての機能を発揮することができる。
【００２４】
また、装置本体１には、図５、図６に点線で示すように、接眼鏡筒部３の上部に、額当て部９を設けてもよい。そして、光走査型検眼鏡１００を使用する際は、被検者Ｂ（または検者Ａ自身）が額当て部９に額を当てることで、被検眼Ｅに対向するように接眼鏡筒部３を配置することができる。さらに、被検者Ｂの頭部を装置本体１に対して固定することができ、手ブレ等を抑制して、高精度な撮影が可能となる。また、額当て部９に、接眼鏡筒部３から見て左右２か所に額のカーブに沿った窪みを設けることで、右側の窪みに額を当てれば左目の検査を行うことができ、左側の窪みに額を当てれば右目の検査ができる。このように、額当て部９は、被検眼Ｅの位置合わせ機能をも備えている。
【００２５】
（光走査型検眼鏡のレーザ走査光学系、制御回路部の概要）
次に、図２を用いて、実施例１、および、以降の実施例で使用するレーザ走査光学系２００と、制御回路部３０について説明する。なお、本願の光学系や制御回路部がこれらに限定されることはなく、検査目的や設計等に応じて、適宜のものを使用することができる。図２に示すように、レーザ走査光学系２００は、照明光源から照明光を照射する照明用光源部２０と、被検眼Ｅからの光を受光する受光部２１と、を有している。
【００２６】
照明用光源部２０は、赤外光を照射する照明光源としての赤外光源２０ａ、青色光（以下、「Ｂ光」と呼ぶ。）を発生する照明光源としての青色光源２０ｂ、緑色光（以下、「Ｇ光」と呼ぶ。）を発生する照明光源としての緑色光源２０ｇ、および、赤色光（以下、「Ｒ光」と呼ぶ。）を発生する照明光源としての赤色光源２０ｒから構成されている。これらの光源にはレーザが用いられている。
【００２７】
赤外光源２０ａから発せされた赤外光Ｐａは、集光レンズ２０ａ’により集光されて、反射ミラー２０ａ”に導かれる。青色光源２０ｂから発せられたＢ光は、集光レンズ２０ｂ’により集光されて、ダイクロイックミラー２０ｂ”に導かれる。その緑色光源２０ｇから発せられたＧ光は、集光レンズ２０ｇ’により集光されて、ダイクロイックミラー２０ｇ”に導かれる。赤色光源２０ｒから発せられたＲ光は、集光レンズ２０ｒ’により集光されて、ダイクロイックミラー２０ｒ”に導かれる。
【００２８】
ダイクロイックミラー２０ｂ”は、赤外光Ｐａを透過し、Ｂ光を反射する機能を果たす。ダイクロイックミラー２０ｇ”は、赤外光ＰａおよびＢ光を透過し、Ｇ光を反射する機能を果たす。ダイクロイックミラー２０ｒ”は、Ｒ光を透過し、Ｇ光、Ｂ光および赤外光Ｐａを反射する機能を果たす。
【００２９】
赤外光Ｐａ、Ｂ光、Ｇ光、Ｒ光は、反射ミラー２０ａ”、ダイクロイックミラー２０ｂ”、２０ｇ”、２０ｒ”によりその照明光路が合成されて、ビームスプリッタ２２に導かれ、このビームスプリッタ２２を透過して２軸走査器（走査器）としての例えばＭＥＭＳミラー２３に導かれる。
【００３０】
赤外光Ｐａ、Ｂ光、Ｇ光、Ｒ光は、このＭＥＭＳミラー２３によって、二次元方向にスキャンされつつ、リレーレンズ２４に導かれ、被検眼Ｅの眼底Ｅｒと共役な面Ｅｒ’にスポット光として空中結像される。
【００３１】
眼底Ｅｒと共役な面Ｅｒ’に結像されたスポット光は、合焦レンズとしての対物レンズ２５により集光され、被検眼Ｅの瞳孔Ｅｐ、水晶体Ｅｃを通って眼内に導かれ、面Ｅｒ’と共役な眼底Ｅｒの共役面Ｅｒ”にスポット光Ｓｐとして結像される。
【００３２】
対物レンズ２５は、実施例１および以降の実施例では、接眼鏡筒部３にマニュアル操作によりその軸方向に前後動可能に設けられている。被検眼Ｅの屈折力に応じて、接眼鏡筒部３の環状リング部材（図示を略す）を回転させると、対物レンズ２５が光軸方向に前後動する。その結果、共役面Ｅｒ”が眼底Ｅｒに合致され、眼底Ｅｒに鮮明なスポット光が形成される。
【００３３】
眼底Ｅｒは、ＭＥＭＳミラー２３による二次元的走査によって、眼底Ｅｒが走査される。また、眼底Ｅｒからのスポット反射光は、水晶体Ｅｃ、瞳孔Ｅｐを通って対物レンズ２５に導かれ、その眼底Ｅｒと共役な面Ｅｒ’にいったん空中結像される。その後、スポット反射光は、リレーレンズ２４によって集光され、ＭＥＭＳミラー２３を経由してビームスプリッタ２２に導かれる。このビームスプリッタ２２により反射されたスポット反射光は、受光部２１に導かれる。
【００３４】
受光部２１は、Ｒ光を反射し、Ｇ光、Ｂ光、赤外光Ｐａを透過するダイクロイックミラー２１ｒ”、Ｇ光を反射し、Ｂ光、赤外光Ｐａを透過するダイクロイックミラー２１ｇ”、および、Ｂ光を反射し、赤外光Ｐａを透過するダイクロイックミラー２１ｂ”を有している。
【００３５】
ダイクロイックミラー２１ｒ”の反射方向前方には、結像レンズ２１ｒ’が設けられ、Ｒ光はその結像レンズ２１ｒ’により受像素子としてのＰＤセンサ２１ｒにスポット状に結像される。ダイクロイックミラー２１ｇ”の反射方向前方には、結像レンズ２１ｇ’が設けられ、Ｇ光はその結像レンズ２１ｇ’により受像素子としてのＰＤセンサ２１ｇにスポット状に結像される。ダイクロイックミラー２１ｂ”の反射方向前方には、結像レンズ２１ｂ’が設けられ、Ｇ光はその結像レンズ２１ｂ’により受像素子としてのＰＤセンサ２１ｂにスポット状に結像される。ダイクロイックミラー２１ｂ”の反射方向後方には、結像レンズ２１ａ’が設けられ、Ｇ光はその結像レンズ２１ａ’により受像素子としてのＰＤセンサ２１ａにスポット状に結像される。
【００３６】
各ＰＤセンサ２１ａ、２１ｂ、２１ｇ、２１ｒからの受光信号は、後述する眼底像構築部３３に入力される。なお、ＰＤセンサ２１ａは赤外領域に感度を有し、ＰＤセンサ２１ｂは青色波長領域に感度を有し、ＰＤセンサ２１ｇは緑色波長領域に感度を有し、ＰＤセンサ２１ｒは赤色波長領域に感度を有する。
【００３７】
上述のようなレーザ走査光学系２００が、可動ケース（図示せず）等に設けられ、装置本体１の内部に収納されている。そして、駆動機構（図示せず）により、可動ケースが装置本体１に対して、前後上下左右方向に駆動されることにより、被検眼Ｅに対するレーザ走査光学系２００のアライメント、合焦等が行われる。
【００３８】
また、装置本体１の内部には、上述の制御回路部３０が備えられている。この制御回路部３０は、操作ボタン７の押し動作による検者Ａの指示にしたがって、レーザ走査光学系２００、駆動機構等の動作を制御し、眼底Ｅｒの画像を構築してモニタ部４に表示する等、光走査型検眼鏡１００全体を制御する。制御回路部３０は、各種演算や各部の駆動制御を実行するＣＰＵ（Central Processing Unit）、コンピュータプログラム等の固定的データを予め記憶するＲＯＭ（Read Only Memory）、各種データを書き換え自在に記憶するワークエリア等として機能するＲＡＭ（Random Access Memory）等のハードウェアを備えている。
【００３９】
また、図２に示すように、制御回路部３０には、光学制御回路部３１、点灯制御回路部３２、眼底像構築部３３等が設けられている。光学制御回路部３１は、レーザ走査光学系２００の動作を制御するもので、被検眼Ｅに対して装置本体１のアライメント調節処理、被検眼Ｅの眼底Ｅｒに対する合焦調節処理、眼底Ｅｒの観察処理、眼底Ｅｒの撮影処理等を実行させる。点灯制御回路部３２は、照明用光源部２０を制御し、各処理に応じて赤外光、Ｂ光、Ｒ光、Ｇ光を照射させる。眼底像構築部３３は、受光部２１から入力される信号に基づいて、眼底画像を構築し、モニタ部４への表示や記憶を行う。
【００４０】
以下、上述のようなレーザ走査光学系２００と制御回路部３０とを用いた、被検眼Ｅに対する光走査型検眼鏡１００の観察モード時、撮影モード時の動作について説明する。また、説明は省略するが、観察や撮影を行う際には、レーザ走査光学系２００のアライメント調節や合焦調節が行われる。例えば、アライメント調整では、受光部２１での受光結果に基づいて、可動ケースごとレーザ走査光学系２００全体を上下左右に移動させることで行われる。合焦調節は、受光結果に基づいて、レーザ走査光学系２００全体を前後に移動させるか、対物レンズ２５やリレーレンズ２４の位置を調整すること等により行われる。
【００４１】
（観察モード時）
検者Ａによる操作ボタン７の操作により、光走査型検眼鏡１００が観察モードとなったとき、点灯制御回路部３２の制御によって、照明用光源部２０の赤外光源２０ａが点灯される。これにより、被検眼Ｅの眼底Ｅｒに赤外光であるスポット光が形成される。
【００４２】
ＭＥＭＳミラー２３は、光学制御回路部３１制御により、所定範囲の眼底Ｅｒを走査する。この走査により生じた眼底Ｅｒからのスポット反射光が、赤外受光用のＰＤセンサ２１ａに受光される。このＰＤセンサ２１ａからの受光信号は、眼底像構築部３３に入力される。
【００４３】
眼底像構築部３３は、受光信号に基づいて、眼底観察用の眼底画像を構築し、その画像信号をモニタ部４に向かって出力する。これにより、モニタ部４の液晶表示画面に眼底像ＥＧｒが表示される。検者Ａは、この眼底観察用の眼底像ＥＧｒを観察しつつ、操作ボタン７を操作することにより、光走査型検眼鏡１００が撮影モードに移行する。
【００４４】
（撮影モード時）
撮影モード時には、点灯制御回路部３２の制御によって、照明用光源部２０の青色光源２０ｂ、緑色光源２０ｇ、赤色光源２０ｒが同時に点灯される。その点灯時間は、例えば１００ミリ秒である。この青色光源２０ｂ、緑色光源２０ｇ、赤色光源２０ｒの点灯時間の間に、ＭＥＭＳミラー２３は観察用の眼底画像を構築する際の走査軌跡と同一の走査軌跡を描くように駆動される。
【００４５】
その結果、観察の際と同様に、可視光である白色のスポット光により眼底Ｅｒが走査される。その反射光はＰＤセンサ２１ｂ、２１ｇ、２１ｒに受光されることで、撮影が行われ、その撮影結果である各受光信号が、眼底像構築部３３に入力される。
【００４６】
眼底像構築部３３は、ＰＤセンサ２１ｂ、２１ｇ、２１ｒからの受光信号に基づいて、カラー眼底像を構築する。この眼底像は内蔵メモリ部等に、カラー画像として保存される。また、装置本体１に、再生ボタン（図示せず）を設けて、再生ボタンを操作することにより、モニタ部４にカラーの眼底像を表示させてもよいし、電話回線等を通じて、撮影と同時に自動的に診療機関に眼底像を送信する構成としてもよい。
【００４７】
上述のように構成された実施例１の光走査型検眼鏡１００を用いて、検者Ａが被検者Ｂの被検眼Ｅの眼底撮影を行う場合、および、検者Ａが、自身の被検眼Ｅの眼底撮影を行う場合の作用について、図面を用いて以下に説明する。本明細書では、検者Ａが被検者Ｂの眼底撮影を行うことを、「他者撮影モード」と呼び、検者Ａ（被検者Ｂが自ら検者Ａとなる場合も含むものとする。）が、自身の眼底撮影を行うことを、「自己撮影モード」と呼ぶ。
【００４８】
（他者撮影モード）
検者Ａが被検者Ｂ（他者）の眼底撮影を行う場合、図５（ｂ）に示すように、支持体２の把持部６側に、接眼鏡筒部３側が位置するように、装置本体１と支持体２とを装着する。この状態で検者Ａが掌で後方側から把持部６を把持すると、図５に示すように、操作ボタン７が、接眼鏡筒部３と同じ方向、つまり、被検者Ｂに対面する方向（前方）に配置される。また、支持部８は、把持部６から、検者Ａに対面する方向（後方）に延びるよう配置される。
【００４９】
また、このように検者Ａが把持部６を把持することで、人差し指等の位置に、操作ボタン７が配置される。そのため、手指や掌で把持部６をしっかりと把持した状態で、人差し指で操作ボタン７を容易に押すことが可能となる。そして、検者Ａが被検者Ｂの被検眼Ｅに対して光走査型検眼鏡１００を正面から構え、額当て部９に被検者Ｂの額に当てると、被検者Ｂの被検眼Ｅに近接して接眼鏡筒部３が配置される（図３参照）。また、このように検者Ａが光走査型検眼鏡１００を構えることで、支持部８が検者Ａの手の甲や上腕の上面に当たるので、装置本体１の自重を上腕で支持しながら眼底撮影を行うことができる。
【００５０】
次に、検者Ａが操作ボタン７を人差し指等で押すことで、レーザ走査光学系２００による眼底撮影が開始される。検者Ａは、人差し指以外の指と掌全体で把持部６を安定よく握った状態で、操作ボタン７の操作を行うことができる。レーザ走査光学系２００では、上述したような光学動作により、被検者Ｂの眼底撮影を行うことができる。このように、実施例１の手持ち型の光走査型検眼鏡１００を用いることで、検者Ａは被検者Ｂの眼底撮影を、手軽かつ容易に行うことができる。
【００５１】
（自己撮影モード）
次に、自己撮影モードについて説明する。まず、図６に示すような他者撮影モードから、自己撮影モードへ切り替える際の動作について説明する。他者撮影モードでの装置本体１と支持体２との位置関係では、接眼鏡筒部３を検者Ａ自身の被検眼Ｅに近接させると、把持部６の操作ボタン７が検者Ａに対面する方向（前方）に向いて配置され、支持部８は検者Ａとは反対方向（後方）に向かって配置される。そのため、把持部６を把持すると、支持部８を上腕で支持できなくなる。また、検者Ａは、親指を把持部６から離して操作ボタン７を操作することとなり、撮影時の光走査型検眼鏡１００の安定性が低下し、円滑な撮影ができなくなることがある。または、手首を折り曲げて操作ボタン７の背面側から把持部６を把持し、人差し指等で操作ボタン７を操作する等、無理な体勢で撮影することとなり、やはり安定性が低下することがある。
【００５２】
したがって、自己撮影を容易かつ安定して行うため、実施例１では、光走査型検眼鏡１００に上述のような位置設定部１０を設けている。自己撮影モードへ切り替えるためには、まず、図６に示すように、検者Ａは、装置本体１の装着面５から、支持体２の支持部８を脱着し、装置本体１と支持体２とを分離する。次に、レーザ走査光学系２００の光軸Ｌとは交差する方向であって、把持部６の突出方向（上下方向）と平行な軸を回転軸Ｘとして、装置本体１を１８０°回転させる。実施例１では、例えば、図５〜図７に示すように、支持部８の中心と光軸Ｌとが交差する位置を通る軸を回転軸Ｘとしている。しかし、分離した状態で、装置本体１または支持体２を水平方向に１８０°回転させることができればよく、必ずしも支持部８の中心と光軸Ｌとが交差する位置を回転軸としなくてもよい。このように初期位置から１８０°回転した状態で、装着面５に支持部８を装着し、装置本体１と支持体２とを連結する。
【００５３】
以上の動作により、検者Ａが手指や掌で把持部６を把持すると、支持部８が検者Ａの腕の上方に配置され、検者Ａの人差し指が操作ボタン７に配置される（図４参照）。また、図４、図７の各図に示すように、接眼鏡筒部３が検者Ａに対面する方向（後方）に向いて配置される。また、支持部８が検者Ａの上腕の上方に配置されるため、検者Ａは自己撮影モードにおいても、手の甲や上腕で装置本体１の自重を支えることができる。また、この場合も、装置本体１の右寄りに支持体２が位置しているため、装置本体１が検者Ａの右手側に位置する。そのため、支持部８だけでなく、装置本体１の下面が検者Ａの右腕に当たり、装置本体１の自重を右腕で支え易くなる。なお、検者Ａが左手で操作する場合などは、装置本体１への支持部８の装着位置を変えてもよい。
【００５４】
そして、検者Ａが、自身の被検眼Ｅに対して光走査型検眼鏡１００を構えた状態で、人差し指等で操作ボタン７を押すことで、レーザ走査光学系２００により、眼底画像の撮影が行われる。さらに、再度、自己撮影モードから他者撮影モードへ切り替える場合は、装置本体１と支持体２とを分離し、支持体２に対して装置本体１を１８０°回転させた後、装置本体１と支持体２とを互いに連結するだけで、容易にモード切り替えが可能となる。
【００５５】
以上、実施例１の光走査型検眼鏡１００では、装置本体１の装着面５に対して、支持体２の支持部８を着脱するだけで、装置本体１と支持体２との相対位置（すなわち、検者Ａに対する光学系の相対位置）を変化させ、他者撮影モードと自己撮影モードとの切り替えを行うことができる。そのため、検者Ａは、被検者Ｂの眼底撮影を行う他者撮影モードでも、自身の眼底撮影を行う自己撮影モードにおいても、安定して把持部６を握って操作ボタン７を操作することができ、操作性が向上する。また、支持部８を介して、装置本体１の自重を上腕で支持することで、装置本体１の安定性が向上し、手ブレ等を抑制することができる。しがたって、実施例１の光走査型検眼鏡１００では、他者撮影モードにおいても、自己撮影モードにおいても、より高精度な眼底撮影が可能となり、光学性能も向上する。
【００５６】
（実施例２）
以下、実施例２の手持ち型の光走査型検眼鏡について、図８を用いて説明する。実施例２の光走査型検眼鏡１１０は、位置設定部１０を、後述の軸支部による位置設定部に変えたこと以外は、実施例１の光走査型検眼鏡と同様の基本構成を有している。そのため、実施例１と同様の部材に同様の符号を付し、詳細な説明は省略する。図８は、実施例２の光走査型検眼鏡１１０を回転させたときの変化を示したもので、図８（ａ）は初期状態（他者撮影モード）、図８（ｂ）は初期状態から反時計回りに９０°回転させた状態（第２の他者撮影モード）、図８（ｃ）は初期状態から１８０°回転させた状態（自己撮影モード）を示す。
【００５７】
図８の各図に示すように、実施例２の光走査型検眼鏡１１０は、実施例１と同様のレーザ走査光学系や制御回路部等を内装した装置本体１と、操作ボタン７、把持部６、支持部８等を備えた支持体２と、を有して構成されている。実施例１では、装置本体１と支持体２とを分離可能に形成し、装着面５への支持部８の装着方向を変えることで、支持体２に対する装置本体１の接眼鏡筒部３の位置を変化させる位置設定部１０を構成している。
【００５８】
これに対して、実施例２では、光軸Ｌと直交する回転軸Ｘと同軸上に配置した支軸（回転軸部材）によって、装置本体１と支持体２とを互いに回転可能に軸支している（以下、「軸支部１１」と呼ぶ。）。そして、この軸支部１１により、位置設定部１０を構成している。すなわち、この軸支部１１を支点（回転軸）として、装置本体１と支持体２とを相対的に回転させることで、検者Ａに対する接眼鏡筒部３（光学系）の位置を変化させている。なお、図８の各図では、軸支部１１を実線で表わしているが、実際は、装置本体１の下面と支持体２の上面との間に設けられているため、装置本体１の上面からは、視認できないようになっている。
【００５９】
また、実施例１では、支持体２に対して装置本体１を水平方向に１８０°回転可能としている。これに対して、実施例２では、装置本体１が、支持体２に対して、水平方向に９０°または１８０°の角度で回転し、様々な角度での撮影が可能となるように構成されている。このように、９０°の位置（左右側）での撮影が可能となることで、検者Ａが被検者Ｂの正面から撮影する必要がなく、検者Ａによる被検者Ｂの眼底撮影の自由度を、さらに高めることができる。
【００６０】
また、このように９０°または１８０°回転させて位置設定を行った後に、装置本体１が支持体２に対して不必要に回転することがないよう、係止手段などを設けてもよい。例えば、装置本体１の下面に、上下に突没する突起を設け、支持体２の回転移動時は、突起が引っ込むようにすることで回転移動を妨げないようにする。そして、回転移動が完了した時は、突起が突出して支持体２に係合し、回転止めの機能を発揮するようにする。または、装置本体１と支持体２との摩擦力や、マグネット部材等の止着手段によって、位置設定の時以外の使用時には、互いの回転を抑制するようにしてもよい。
【００６１】
上述のように構成した実施例２の光走査型検眼鏡１１０で、検者Ａと被検者Ｂとが対面して撮影を行う、通常の他者撮影モードの際には、図８（ａ）に示すように、接眼鏡筒部３を被検者Ｂに対面する前方に配置する。この状態で、検者Ａは、把持部６を把持して、被検者Ｂの正面から、当該被検者Ｂの被検眼Ｅに対して光走査型検眼鏡１１０を構えることで、被検者Ｂの眼底撮影を操作性よく行うことができる。
【００６２】
次に、第２の他者撮影モードについて説明する。図８（ａ）の状態において、支持体２に対して、装置本体１を、軸支部１１を回転軸Ｘとして、反時計回りに９０°回転させ、図８（ｂ）に示すように、接眼鏡筒部３が右方向に向くように位置設定する。このような配置とすることで、検者Ａが把持部６を把持したときに、検者Ａに対して、横方向（検者Ａの左側）を向いて接眼鏡筒部３が配置される。そのため、検者Ａは、正面でなく、左横に居る被検者Ｂに対しても、自身の体勢を変えることなく、眼底撮影を行うことができる。また、ベッド等の座っている患者等に対しても、ベッドに乗り上げる等して患者の上方から光走査型検眼鏡１１０を構える必要がなく、ベッドの横から患者の被検眼Ｅに対して光走査型検眼鏡１１０を容易に構えることができる。また、このように検者Ａに対して、横向きに装置本体１を配置しても、検者Ａに対する支持体２の向きは変化していない。したがって、把持部６を把持したときに、検者Ａが操作し易い位置（人差し指の位置）に操作ボタン７が配置され、眼底撮影を操作性よく行うことができる。
【００６３】
そして、装置本体１をさらに回転させて、図８（ｃ）に示すように、装置本体１の位置を、初期位置から１８０°の位置に配置する。この操作により、接眼鏡筒部３が把持部６とは反対側、すなわち、検者Ａに対面する方向（後方）に向いて配置される。そのため、検者Ａ（または、被検者Ｂが自ら）は、自身の眼底撮影をも容易に行うことができる（自己撮影モード）。
【００６４】
なお、図８に示す実施例２では、９０°および１８０°の角度で回転するように構成しているが、本願がこれに限定されることはない。例えば、支持体２に対して、１２０°（時計回りで９０°）に装置本体１の位置を設定して、眼底撮影等を行えるようにしてもよい。さらには、装置本体１を３６０°方向に自在に回転させて、所望の角度に位置設定できるようにしてもよく、眼底撮影、その他の眼科検査時の自由度をさらに向上させることができる。
【００６５】
また、実施例２では、支軸を用いた軸支部１１により装置本体１と支持体２とを相対的に改定させているが、本願がこれに限定されることはなく、ギア、その他の回転機構等を用いて回転するよう構成してもよい。以降の実施例の軸支部も同様である。
【００６６】
（実施例３）
以下、実施例３の光走査型検眼鏡について、図９、図１０を用いて説明する。なお、実施例３でも、実施例１と同様の部材については、同様の符号を付し、詳細な説明は省略する。実施例３の光走査型検眼鏡１２０は、図９に示すように、実施例１と同様のレーザ走査光学系や制御回路部等を内装した装置本体１と、操作ボタン７、把持部６、支持部８等を備えた支持体２と、を有して構成されている。
【００６７】
実施例３の装置本体１は、図９、図１０の各図に示すように、基板部１ａと、この基板部１ａの両側に上方に向かって突出形成した一対のアーム部１ｂと、この一対のアーム部１ｂに、一対の軸支部１３を介して、回転可能に軸支した可動体１２と、を有して構成されている。そして、可動体１２に、レーザ走査光学系と接眼鏡筒部３とを設けている。また、一対の軸支部１３は、図９（ａ）、図１０（ａ）等に示すように、レーザ走査光学系の光軸Ｌに対して、水平方向（左右方向）に直交する軸Ｘ（回転軸Ｘ）と同軸上に配置されている。そのため、可動体１２は、軸支部１３を回転軸として、装置本体１に対して前後方向に回転可能となっている。実施例３では、このような軸支部１３等により、検者Ａに対する接眼鏡筒部３（レーザ走査光学系）の位置を変化させる位置設定部１０を構成している。
【００６８】
また、実施例１、実施例２では、支持体２に対して、装置本体１全体を相対的に回転させるよう構成している。これに対して、実施例３では、装置本体１に対して可動体１２を回転させることで、検者Ａに対する接眼鏡筒部３の位置を変化させているので、支持体２に対して装置本体１全体を回転可能に形成する必要がない。支持体２の支持部８と装置本体１とは、接着材やネジ等の接続手段により、分離しないように一体に連結され、互いの安定性を高めている。また、実施例３でも、基板部１ａの上面等に、眼底画像等を表示するモニタ部４等を設けてもよい。基板部１ａは回転しないため、他者撮影モードでも自己撮影モードでも、検者Ａに対向する位置にモニタ部４等を配置することができる。
【００６９】
上述のように構成した実施例３の光走査型検眼鏡１２０で、他者撮影モードを行う際には、図９の各図に示すように、可動体１２の位置を調整して、接眼鏡筒部３が、操作ボタン７が向く方向と同じ方向に向くように配置する。この状態で、検者Ａが操作ボタン７の背面側（後方）から、把持部６を把持すると、操作ボタン７に手指が掛った状態で、支持部８が検者Ａの上腕に配置される。また、接眼鏡筒部３が検者Ａとは反対方向、すなわち、被検者Ｂに対面する方向（前方）に向いて配置される。そして、被検者Ｂの被検眼Ｅに近接させて、検者Ａが光走査型検眼鏡１２０を構え、操作ボタン７を押すことで、被検者Ｂの眼底撮影を容易に行うことができる。
【００７０】
また、他者撮影モードから、自己撮影モードへ切り替える場合は、図１０の各図に示すように、装置本体１に対して、軸支部１３を回転軸Ｘとして可動体１２を検者Ａに対向する方向（後方）に回転する。なお、実施例３では、図９の初期位置から、可動体１２を約１３５°回転させている。これにより、図１０（ｃ）に示すように、接眼鏡筒部３が、検者Ａに対向する方向（後方）に対して、斜め上方を向くよう傾斜して配置される。
【００７１】
したがって、検者Ａは、光走査型検眼鏡１２０を目線の位置まで高く持ち上げて眼底撮影を行う必要がなくなるとともに、支持部８に上腕が当たり易くなって、装置本体１の自重を支え易くなる。そのため、自己撮影モードでの眼底撮影を、操作性よく容易に行うことができる。さらには、接眼鏡筒部３がモニタ部４側に大きく突出することがなく、モニタ部４の視認が妨げられることもない。勿論、１８０°の位置まで可動体１２を回転させるよう構成してもよく、各部の位置関係や、使用目的等に応じて適宜の角度で可動体１２を回転させることができる。また、装置本体１の部品点数や組付け工数は増えるが、位置設定の際に装置本体１全体を回転させる必要がなく、少ない労力で容易に位置設定を行うことができる。
【００７２】
また、上記実施例１〜実施例３では、手持ち型の光走査型検眼鏡としているが、変形例として、実施例１〜３の光走査型検眼鏡を、適宜の据え置き台に据え置いて、据え置き型の光走査型検眼鏡として兼用できるような構成としてもよい。このような構成とすれば、通常は据え置き型として、より確実な眼底撮影を行うことが可能であり、据え置き台から取り外して、手持ち型の光走査型検眼鏡として使用することで、自由度の高い眼底撮影等が可能となる。特に、実施例１では、支持体２と装置本体１とを分離できるので、手持ち用の支持体２を脱着した状態で、操作ボタンを備えた据え置き台に装着するような構成とすることで、いずれの場合でも操作性のよい使用が可能となる。このように、手持ち型の手軽さや自由度の高さと、据え置き型の確実さとを兼ね備えた眼科装置を提供することが可能となる。また、操作ボタン７は、必ずしも支持体２に設ける必要はなく、検者Ａが操作し易い位置であれば、装置本体１に設けてもよい。
【００７３】
（実施例４）
（据え置き型の光走査型検眼鏡の外観構成およびその作用）
以下、実施例４の据え置き型の光走査型検眼鏡について、図１１、図１２を用いて説明する。なお、実施例４でも、実施例１と同様の部材については、同様の符号を付し、詳細な説明は省略する。実施例４の光走査型検眼鏡１３０は、図１１、図１２の各図に示すように、レーザ走査光学系や制御回路部等を内装した装置本体１と、操作ボタン７、把持部６を備えた支持体２と、を有して構成されている。
【００７４】
実施例３では、装置本体１とは別個に形成した可動体１２を、装置本体１に軸支しているが、実施例４では、装置本体１そのものを、支持体２に回転可能に軸支している。また、実施例１〜３では、支持体２に把持部６を設けることで、手持ち型の光走査型検眼鏡としているが、実施例４では、支持体２に、机等の設置面に据置く据え置き台１４を設けることで、据え置き型の光走査型検眼鏡１４０としている。
【００７５】
実施例４の装置本体１は、レーザ走査光学系と制御回路部とを内蔵し、接眼鏡筒部３を備えている。装置本体１は、両側に一対のアーム部１ｂを突出形成し、この一対のアーム部１ｂを、一対の支軸（軸支部１３）を介して支持体２に軸支している。一対の軸支部１３は、図１０、図１１の各図に示すように、レーザ走査光学系の光軸Ｌに対して、水平方向（左右方向）に直交する軸Ｘ（回転軸Ｘ）と同軸上に配置されている。そのため、装置本体１は、軸支部１３を回転軸として、支持体２に対して回転可能となっている。実施例４では、このような軸支部１３等により、検者Ａに対する接眼鏡筒部３（レーザ走査光学系）の位置を変化させる位置設定部１０を構成している。
【００７６】
また、実施例４では、操作ボタン７を、支持体２に上面に設けている。また、モニタ部等は、装置本体１に設けてもよいが、装置本体１全体を回転させるため、支持体２の後方（検者Ａに対面する位置）に設ければ、検者Ａが容易に視認することができる。
【００７７】
上述のように構成した実施例４の光走査型検眼鏡１３０では、他者撮影モードの際には、図１１（ｃ）等に示すように、接眼鏡筒部３が、前方である被検者Ｂの方向に向かって配置されている。また、モニタ部等を設けた場合には、これらは検者Ａ方向に向かって配置される。この状態で、被検者Ｂが被検眼Ｅを接眼鏡筒部３に近接させ、検者Ａが操作ボタン７を押すことで、被検者Ｂの眼底撮影を行うことができる。また、検者Ａは、モニタ部等で被検者Ｂの撮影画像等を確認しながら操作を行うことができる。
【００７８】
次に、自己撮影モードへ切り替える場合は、支持体２に対して、軸支部１３を回転軸Ｘとして、装置本体１を検者Ａ方向に回転する。この操作により、図１２の各図に示すように、接眼鏡筒部３が、検者Ａに対面する方向（後方）に向いて配置される。
【００７９】
したがって、据え置き型であっても、検者Ａは、自己撮影モードのときに、被検者の位置までわざわざ移動する必要がなく、自身の眼底撮影を手軽に行うことなできる。また、再度他者撮影モードへ切り替える場合は、装置本体１を回転させて、接眼鏡筒部３を被検者Ｂの方向（前方）に向けるだけでよく、他者撮影モードと自己撮影モードとの切り替えを、容易に行うことができる。また、支持体２が回転していないため、支持体２の後方にモニタ部等を設けた場合は、撮影モードを切り替えても、これらは検者Ａの方向（後方）を向いて配置される。そのため、検者Ａは、他者撮影であっても自己撮影であっても、モニタ部により眼底画像等を容易に視認することができる。また、据え置き台１４を設けて、光走査型検眼鏡１３０を据置いて使用することができるため、安定性が向上し、手ブレ等の心配のない、より高精度な眼底撮影が可能となる。
【００８０】
（実施例５）
以下、実施例５の据え置き型の光走査型検眼鏡について、図１２、図１３を用いて説明する。実施例５の光走査型検眼鏡１４０は、操作ボタン７を据え置き台１４に設けたこと以外は、実施例４の光走査型検眼鏡１３０と同様の基本構成を有している。そのため、実施例４と同様の部材には、同様の符号を付し、詳細な説明は省略する。
【００８１】
図１２、図１３に示すように、実施例５の光走査型検眼鏡１４０は、レーザ走査光学系や制御回路部等を内装し、支持体２に対して軸支部１３を回転軸Ｘとして、回転可能な装置本体１と、操作ボタン７、据え置き台１４等を備えた支持体２と、を有して構成されている。実施例５においても、軸支部１３等により、検者Ａに対する接眼鏡筒部３（レーザ走査光学系）の位置を変化させる位置設定部１０を構成している。
【００８２】
また、実施例５では、据え置き台１４の上面であって、支持体２の後方（検者Ａに対面する方向）に、操作パネル１５を設け、この操作パネル１５に操作ボタン７を設けている。このように検者Ａに対面する側に操作ボタン７を設けることで、撮影時に検者Ａが操作ボタン７を押し易くなる。また、実施例５においても、支持体２の後方（検者Ａに対面する位置）にモニタ部（図示せず）等を設けてもよい。
【００８３】
上述のように構成した実施例５の光走査型検眼鏡１３０では、他者撮影モードの際には、図１３（ｃ）等に示すように、接眼鏡筒部３が、前方である被検者Ｂの方向に向かって配置されている。また、操作ボタン７を設けた操作パネル１５やモニタ部等は、検者Ａに対向する方向（後方）に向かって配置される。この状態で、被検者Ｂが被検眼Ｅを接眼鏡筒部３に近接させ、検者Ａが操作ボタン７を押すことで、被検者Ｂの眼底撮影を行うことができる。また、検者Ａは、モニタ部等で被検者Ｂの撮影画像等を確認しながら操作を行うことができる。
【００８４】
次に、他者撮影モードから、自己撮影モードへ切り替える場合は、支持体２に対して、軸支部１３を回転軸Ｘとして、装置本体１を検者Ａ方向に回転する。この操作により、図１４の各図に示すように、接眼鏡筒部３が、検者Ａに対面する方向（後方）に向いて配置される。これに対して、操作ボタン７を設けた操作パネル１５やモニタ部等は、位置が変化することがなく、検者Ａ方向（後方）に向かって配置される。
【００８５】
したがって、他者撮影モードおよび自己撮影モードのいずれの場合でも、検者Ａ自身に向かって操作ボタン７やモニタ部を配置することができる。そのため、検者Ａは操作ボタン７を操作性よく操作して、自己の眼底撮影を容易に行うことができる。また、検者Ａはモニタ部等により、撮影後の画像等を確認することができる。勿論、実施例５でも、検者Ａが自己撮影モードのときに、被検者Ｂの位置までわざわざ移動する必要がない。また、光走査型検眼鏡１４０を据置いて使用することができるため、安定性が向上し、手ブレ等の心配のない、より高精度な眼底撮影が可能となる。
【００８６】
以上、各実施例について説明したが、本願の眼科装置がこれらに限定されるものではない。また、上記各実施例では、眼科装置として、光走査型検眼鏡を実施しているが、本願の眼科装置が光走査型検眼鏡に限定されるものではない。各実施例で説明したように、検者による被検者の眼科検査と、検者自身の眼科検査との切り替えが実施可能であれば、他の構成の眼科装置を用いてもよい。
【符号の説明】
【００８７】
Ａ  検者
Ｂ  被検者
Ｅ  被検眼
１  装置本体
２  支持体
５  装着面（装着部）
６  把持部
７  操作ボタン（操作部）
８  支持部（被装着部）
１０  位置設定部
１１  軸支部
１２  可動体
１３  軸支部
１４  据え置き台
１００，１１０、１２０、１３０、１４０  光走査型検眼鏡（眼科装置）
２００  レーザ走査光学系（光学系）
【図１】
2014108136.tif 000003
【図２】
2014108136.tif 000004
【図３】
2014108136.tif 000005
【図４】
2014108136.tif 000006
【図５】
2014108136.tif 000007
【図６】
2014108136.tif 000008
【図７】
2014108136.tif 000009
【図８】
2014108136.tif 000010
【図９】
2014108136.tif 000011
【図１０】
2014108136.tif 000012
【図１１】
2014108136.tif 000013
【図１２】
2014108136.tif 000014
【図１３】
2014108136.tif 000015
【図１４】
2014108136.tif 000016